(57)【要約】
【課題】
　鉢植えの出し入れが容易であり、販売時には折りたたんでコンパクトに収納でき、かつ購入者が簡単に組立てることができる鉢植え運搬用組立て式段ボールケースを提供する。
【解決手段】
　鉢植えを載置固定させるための載置部と手を掛けるための手掛孔と該手掛孔の近傍に係止部を有するケース基体部と、手を掛けるための手掛孔と該係止部に係止される被係止部とを有するケースカバー部と、からなり、前記係止部に前記被係止部が係止されることにより前記ケース基体部に前記ケースカバー部が上方から脱離可能に冠着されるようにした。
【選択図】　図１
0003100050.tif 000002
【実用新案登録請求の範囲】
【請求項１】
鉢植えを載置固定させるための載置部と手を掛けるための手掛孔と該手掛孔の近傍に係止部を有するケース基体部と、手を掛けるための手掛孔と該係止部に係止される被係止部とを有するケースカバー部と、からなり、前記係止部に前記被係止部が係止されることにより前記ケース基体部に前記ケースカバー部が上方から脱離可能に冠着されるようにしたことを特徴とする鉢植え運搬用組立て式段ボールケース。
【請求項２】
前記ケース基体部が係止部形成片を有する側面形成部材と載置部形成部材とからなり、該係止部形成片を外側に折り曲げかつ該ケース基体部の左右側面にそれぞれ固着せしめてなることにより、該係止部形成片の端縁部が前記係止部となり、かつ前記ケースカバー部が下端部に被係止部形成片を有し、該被係止部形成片を内側に折り曲げてなることにより、該係止部形成片のフリー状態の端縁部が前記被係止部として作用するようにしたことを特徴とする請求項１記載の鉢植え運搬用組立て式段ボールケース。
【請求項３】
前記ケース基体部の後端部に冠着ガイドを突設することにより、前記ケースカバー部が前記ケース基体部に冠着され易くしたことを特徴とする請求項１又は２記載の鉢植え運搬用組立て式段ボールケース。
【考案の詳細な説明】
【技術分野】
【０００１】
　本考案は、鉢植え、特に洋蘭等の市場への出荷及び顧客への宅配等の運搬に用いられる組立て式段ボールケースに関する。
【背景技術】
【０００２】
　従来、洋蘭等の鉢植えを市場に出荷したり取引先に宅配する際には段ボールケースが用いられている。かかる宅配の際に用いられる段ボールケースとしては、例えば、図１０及び図１１に示すような構造の段ボールケース２００が知られている。
【０００３】
　図１０及び図１１において、該段ボールケース２００の一面には、鉢植えを出し入れするための開口部２０２と、該一面に形成された開閉可能な閉塞蓋２０４とが設けられている。該段ボールケース２００の内側下部には鉢植えを載置するための載置台２０６が設けられている。
【０００４】
　洋蘭等の鉢植えを宅配する際には、該鉢植えを該載置台２０６に載置して、閉塞蓋２０４により開口部２０２を閉塞し、図１１に示す如く、粘着テープ２０８で該閉塞蓋２０４をしっかりと固定して運搬する。そして、運搬先では、該粘着テープ２０８を剥がして閉塞蓋２０４を開けて載置台２０６に載置されている鉢植えを該段ボールケース２００からゆっくりと取り出す。
【０００５】
　しかし、このような従来の出荷及び宅配用の段ボールケースでは、運搬先の人が鉢植えを取り出す際には、該段ボールケース２００の上方から両手を入れて取り出すこともあり、鉢植えが洋蘭等の生花だと非常にデリケートであるから、取り出す際に花びらに手などが触れてしまうと花びらが散ってしまい商品を台無しにしてしまうことがあった。
【０００６】
　また、運搬の途中で閉塞蓋２０４が開いてしまうのを防ぐために、図１１に示す如く粘着テープ２０８で閉塞蓋２０４をしっかりと固定する作業が面倒であるという問題もあった。
【考案の開示】
【考案が解決しようとする課題】
【０００７】
　本考案は、上記した従来技術の問題点に鑑みなされたもので、鉢植えの出し入れが容易であり、販売時には折りたたんでコンパクトに収納でき、かつ購入者が簡単に組立てることができる鉢植え運搬用組立て式段ボールケースを提供することを目的とする。
【課題を解決するための手段】
【０００８】
　上記課題を解決するために、本考案の鉢植え運搬用組立て式段ボールケースは、鉢植えを載置固定させるための載置部と手を掛けるための手掛孔と該手掛孔の近傍に係止部を有するケース基体部と、手を掛けるための手掛孔と該係止部に係止される被係止部とを有するケースカバー部と、からなり、前記係止部に前記被係止部が係止されることにより前記ケース基体部に前記ケースカバー部が上方から脱離可能に冠着されるようにしたことを特徴とする。
【０００９】
　また、前記ケース基体部が係止部形成片を有する側面形成部材と載置部形成部材とからなり、該係止部形成片を外側に折り曲げかつ該ケース基体部の左右側面にそれぞれ固着せしめてなることにより、該係止部形成片の端縁部が前記係止部となり、かつ前記ケースカバー部が下端部に被係止部形成片を有し、該被係止部形成片を内側に折り曲げてなることにより、該係止部形成片のフリー状態の端縁部が前記被係止部として作用するようにするのが好適である。
【００１０】
　また、前記ケース基体部の後端部に冠着ガイドを突設するように構成すれば、前記ケースカバー部が前記ケース基体部に冠着され易くなり、より好ましい。
【００１１】
　このように構成することにより、前記ケース基体部に前記ケースカバー部を着脱可能とすることができるので、取引者が鉢植えを運搬する際の鉢植えの出し入れが容易となる。また、段ボールで組立て式に構成されているため、販売時には折りたたんでコンパクトに収納でき、一方、購入者は簡単に組立てることが可能である。
【考案の効果】
【００１２】
　本考案の鉢植え運搬用組立て式段ボールケースによれば、鉢植えの出し入れが容易であり、販売時には折りたたんでコンパクトに収納でき、かつ購入者が簡単に組立てることができるという著大な効果を奏する。
【考案を実施するための最良の形態】
【００１３】
　　以下、本考案の鉢植え運搬用組立て式段ボールケースの１例を添付図面によって説明する。
【００１４】
　図１は本考案の鉢植え運搬用組立て式段ボールケースの組み立て完成斜視図、図２はケース基体部の側面形成部材の展開図、図３はケース基体部の載置部形成部材の展開図、図４はケース基体部を組み立てている状態を示す斜視図、図５はケース基体部を図４の状態からさらに組み立てている状態を示す斜視図、図６はケース基体部を組み立てた状態を示す斜視図、図７はケースカバー部の展開図、図８はケースカバー部を組み立てている状態を示す斜視図、図９はケースカバー部を組み立てた状態を示す斜視図である。
【００１５】
　図１において、本考案の鉢植え運搬用組立て式段ボールケース１０は、鉢植えを載置固定させるための載置部１２と手を掛けるための手掛孔１４ａ，１４ｂと該手掛孔１４ａ，１４ｂの近傍に係止部１６ａ，１６ｂを有するケース基体部１８を有している。該ケース基体部１８には、手を掛けるための手掛孔２０ａ，２０ｂと該係止部１６ａ，１６ｂに係止される被係止部２２ａ，２２ｂを有するケースカバー部２４が上方から脱離可能に冠着されている。
【００１６】
　また、該ケース基体部１８の後端部には冠着ガイド２６，２８が直立して突設されており、該冠着ガイド２６，２８に沿って該ケースカバー部２４を上方から冠着することにより該ケースカバー部２４が該ケース基体部１８に冠着され易い構成とされている。なお、該ケースカバー部２４の正面には窓２５が設けられており、取引者が載置部１２に載置された鉢植えを見ることが可能とされている。
【００１７】
　ケース基体部１８は、側面形成部材３０と、載置部形成部材３２とから構成されており、それらの展開図を図２及び図３にそれぞれ示す。該ケース基体部１８は、図２に示す側面形成部材３０の縦折線３４，３６，３８，４０で内側に折り曲げることにより、図４〜図６に示す如く手掛孔１４ａを有するケース基体部左側面４２、冠着ガイド２６，２８を有するケース基体部背面４４、手掛孔１４ｂを有するケース基体部右側面４６とそれぞれなる。なお、符号４７及び４９はそれぞれ糊代を示す。
【００１８】
　また、該側面形成部材３０は係止部形成片６１ａ，６１ｂを有しており、図２に示す横折線４８，５０で外側に折り曲げかつケース基体部左右側面４２，４６にそれぞれ固着せしめることにより、図４〜図６に示す如く該係止部形成片６１ａ，６１ｂの端縁部が係止部１６ａ，１６ｂとなる。なお、該係止部１６ａには切欠部５６，５８が、該係止部１６ｂには切欠部６０，６２がそれぞれ設けられている。
【００１９】
　これらの切欠部５６，５８，６０，６２を設けることにより、係止部１６ａ，１６ｂに被係止部２２ａ，２２ｂが係止されている状態を解消する際に、該係止状態が解消し易く構成されている。
【００２０】
　また、係止部１６ａ，１６ｂには該手掛孔１４ａ，１４ｂの形状に合わせて凹部６２，６４がそれぞれ形成されている。一方、図２に示す横折線６６，６８，７０で内側に折り曲げることにより、図４〜図６に示す如くケース基体部重合片７２，７４及びケース基体部後底面７６となる。
【００２１】
　次に、該ケース基体部１８は、図３に示す載置部形成部材３２の横折線７８，８０，８２で内側に折り曲げることにより、図４〜図６に示す如く差し込み片８４、ケース基体部上面８６、ケース基体部正面８８、及びケース基体部前底面９０となる。また、縦折線９２，９４を内側に折り曲げることにより、ケース基体部上面８６の上下動を防止するための補強板９６，９８となり、該補強板９６，９８はケース基体部左右側面４２，４６の内側面にそれぞれ固着せしめる。
【００２２】
　このようにして、図６に示される如く、鉢植えを載置固定させるための載置部１２と手を掛けるための手掛孔１４ａ，１４ｂと該手掛孔の近傍に係止部１６ａ，１６ｂを有するケース基体部１８が形成される。
【００２３】
　ケースカバー部２４の展開図を図７に示す。該ケースカバー部２４は、図７に示す縦折線１００，１０２，１０４，１０６で内側に折り曲げることにより、図８及び図９に示すケースカバー部正面１０８、ケースカバー部右側面１１０、ケースカバー部左側面１１２及びケースカバー部背面１１４となる。なお、符号１１６は糊代を示す。
【００２４】
　ケースカバー部右側面１１０及びケースカバー部左側面１１２には、手掛孔２０ａ，２０ｂがそれぞれ設けられており、該手掛孔２０ａ，２０ｂは、ケースカバー部２４をケース基体部１８に上方から冠着した際にケース基体部１８の手掛孔１４ａ，１４ｂと一致するように配置されている。
【００２５】
　また、図７に示す横折線１１８，１２０，１２２，１２４で折り曲げ、図８及び図９に示す如くケースカバー部重合片１２６，１２８の上にケースカバー部前上面１３０、ケースカバー部後上面１３２が重なるようにし、ケースカバー部前上面１３０のストッパー１４０ａ，１４０ｂ及びケースカバー部後上面１３２のストッパー１３８ａ，１３８ｂを差し込み孔１３４，１３６にそれぞれ差し込む。
【００２６】
　一方、ケースカバー部２４はその下端部に被係止部形成片４１ａ，４１ｂを有しており、図７及び図８に示す横折線１４２，１４４で内側に折り曲げるのみで非固定状態とすることにより、図９に示す如く該被係止部形成片４１ａ，４１ｂの端縁部はフリー状態であり、その端縁部が被係止部２２ａ，２２ｂとして作用する。
【００２７】
　このようにして、手を掛けるための手掛孔２０ａ，２０ｂと被係止部２２ａ，２２ｂを有し、窓２５が設けられているケースカバー部２４が形成される。
【００２８】
　以上のようにして組み立てたケース基体部１８に組み立てたケースカバー部２４を上方から冠着すると、図１に示す本考案の鉢植え運搬用組立て式段ボールケース１０が出来上がる。図１の状態ではケースカバー部２４の被係止部２２ａ，２２ｂはケースカバー部２４の内側に向かって付勢されているから、ケース基体部１８の係止部１６ａ，１６ｂがケースカバー部２４の被係止部２２ａ，２２ｂに緊密に係止され、ケースカバー部２４を上方に引き上げたとしてもケースカバー部２４がケース基体部１８から外れてしまうことはない。
【００２９】
　一方、ケースカバー部２４の被係止部形成片４１ａ，４１ｂの側面を手で押さえるなどして付勢力に抗する力を加えることにより、ケース基体部１８の係止部１６ａ，１６ｂがケースカバー部２４の被係止部２２ａ，２２ｂに係止されている状態を解消すれば、ケースカバー部２４をケース基体部１８から容易に外すことができる。このようにして、ケースカバー部２４がケース基体部１８の上方から脱離可能に冠着されている。
【図面の簡単な説明】
【００３０】
【図１】本考案の鉢植え運搬用組立て式段ボールケースの組み立て完成斜視図である。
【図２】ケース基体部の側面形成部材の展開図である。
【図３】ケース基体部の載置部形成部材の展開図である。
【図４】ケース基体部を組み立てている状態を示す斜視図である。
【図５】ケース基体部を図４の状態からさらに組み立てている状態を示す斜視図である。
【図６】ケース基体部を組み立てた状態を示す斜視図である。
【図７】ケースカバー部の展開図である。
【図８】ケースカバー部を組み立てている状態を示す斜視図である。
【図９】ケースカバー部を組み立てた状態を示す斜視図である。
【図１０】従来の段ボールケースを示す斜視図である。
【図１１】従来の段ボールケースを示す斜視図である。
【符号の説明】
【００３１】
　　１０：鉢植え運搬用組立て式段ボールケース、１２：載置部、１４ａ，１４ｂ：手掛孔、１６ａ，１６ｂ：係止部、１８：ケース基体部、２０ａ，２０ｂ：手掛孔、２２ａ，２２ｂ：被係止部、２４：ケースカバー部、２５：窓、２６，２８：冠着ガイド、３０：側面形成部材、３２：載置部形成部材、３４，３６，３８，４０：縦折線、４１ａ，４１ｂ：被係止部形成片、４２：ケース基体部左側面、４４：ケース基体部背面、４６：ケース基体部右側面、４７，４９：糊代、４８，５０：横折線、５６，５８：切欠部、６０，６２：切欠部、６１ａ，６１ｂ：係止部形成片、６２，６４：凹部、６６，６８，７０：横折線、７２，７４：ケース基体部重合片、７６：ケース基体部後底面、７８，８０，８２：横折線、８４：差し込み片、８６：ケース基体部上面、８８：ケース基体部正面、９０：ケース基体部前底面、９２，９４：縦折線、９６，９８：補強板、１００，１０２，１０４，１０６：縦折線、１０８：ケースカバー部正面、１１０：ケースカバー部右側面、１１２：ケースカバー部左側面、１１４：ケースカバー部背面、１１６：糊代、１１８，１２０，１２２，１２４：横折線、１２６，１２８：ケースカバー部重合片、１３０：ケースカバー部前上面、１３２：ケースカバー部後上面、１３４，１３６：差し込み孔、１３８ａ，１３８ｂ：ストッパー、１４０ａ，１４０ｂ：ストッパー、１４２，１４４：横折線、２００：段ボールケース、２０２：開口部、２０４：閉塞蓋、２０６：載置台、２０８：粘着テープ。
【図１】
0003100050.tif 000003
【図２】
0003100050.tif 000004
【図３】
0003100050.tif 000005
【図４】
0003100050.tif 000006
【図５】
0003100050.tif 000007
【図６】
0003100050.tif 000008
【図７】
0003100050.tif 000009
【図８】
0003100050.tif 000010
【図９】
0003100050.tif 000011
【図１０】
0003100050.tif 000012
【図１１】
0003100050.tif 000013